(57)【要約】      （修正有）【課題】取り外し可能な支持体上に組み付けることを意図する時計を提供する。【解決手段】時計ケース４、及び支持体２に設けた開口３内に時計ケース４を保持するように構成した別個の取り外し可能取付けデバイス１０を備え、時計ケース４は、文字板側上の上側部分４ａ、及び裏蓋５を備える下側部分４ｂを備え、下側部分４ｂは、支持体２の開口３内部に収容するように構成し、平坦な環状周縁肩部８を形成するように上側部分４ａの寸法よりも小さい寸法である。【選択図】図２
2016206187.tif 000002
【特許請求の範囲】
【請求項１】
支持体（２）上に取り外し可能に組み付けることが出来る時計（１）であって、前記時計（１）は、時計ケース（４）、及び前記支持体（２）に設けた開口（３）内に前記時計ケース（４）を保持するように構成した別個の取り外し可能取付けデバイス（１０）を備え、前記時計ケース（４）は、文字板側上の上側部分（４ａ）、及び裏蓋（５）を備える下側部分（４ｂ）を備え、前記下側部分（４ｂ）は、前記支持体（２）の前記開口（３）内部に収容するように構成し、平坦な環状周縁肩部（８）を形成するように前記上側部分（４ａ）の寸法よりも小さい寸法である、時計（１）において、前記取付けデバイス（１０）は、つば（１２）を備え、前記つば（１２）は、前記時計ケース（４）の前記下側部分（４ｂ）受け入れるように構成した中央開口（１４）、及び前記中央開口（１４）の境界を定める内側縁（１６）を有し、前記内側縁（１６）は、前記支持体（２）の前記開口（３）内部に収容するように構成すること、並びに前記内側縁（１６）は、前記内側縁（１６）の内側壁上に、前記取付けデバイス（１０）を前記時計ケース（４）の前記下側部分（４ｂ）上に係止する係止デバイスを備え、前記係止デバイスは、前記取付けデバイス（１０）を前記時計ケース（４）上に係止可能にするように構成して、前記つば（１２）と前記時計ケース（４）の前記平坦肩部（８）との間に前記支持体（２）を保持し、且つ前記つば（１２）に実質的に直交する外向きの力（Ｆ）を前記つば（１２）上に加えることによって、前記取付けデバイス（１０）を前記時計ケース（４）から解除可能にするように構成して、前記支持体（１２）を解放することを特徴とする、時計（１）。
【請求項２】
前記係止デバイスは、前記内側縁（１６）の前記内側壁上に配置した少なくとも１つのリブ（１８）を備え、前記リブ（１８）は、前記時計ケース（４）の前記下側部分（４ｂ）の周縁の全て又は一部に対応して配置した少なくとも１つの溝（２０）と協働するように構成することを特徴とする、請求項１に記載の時計。
【請求項３】
前記係止デバイスは、前記内側縁（１６）の前記内側壁上に配置した少なくとも２つのリブ（１８）を備え、前記少なくとも２つのリブ（１８）は、前記取付けデバイス（１０）の横軸（Ｙ）に対して対称に配置し、リブなし領域（１６ａ、１６ｂ）によって隔てることを特徴とする、請求項２に記載の時計。
【請求項４】
前記内側縁（１６）は、前記内側縁（１６）の自由縁部に沿って少なくとも１つの切欠き部分（２２）を有することを特徴とする、請求項１から３のうちいずれか一項に記載の時計。
【請求項５】
前記内側縁（１６）は、前記内側縁（１６）の自由縁部に沿って少なくとも２つの切欠き部分（２２）を有し、前記切欠き部分（２２）は、前記取付けデバイス（１０）の長手方向軸（Ｘ）に対して対称に配設し、実質的に前記リブなし領域（１６ａ、１６ｂ）内に配置することを特徴とする、請求項３又は４に記載の時計。
【請求項６】
少なくとも１つのリブなし空間（２４）は、前記内側縁（１６）の前記内側壁上で、リブ（１８）と切欠き部分（２２）との間に設けることを特徴とする、請求項１から５のうちいずれか一項に記載の時計。
【請求項７】
前記つば（１２）は、少なくとも１つの外側縁（２６）によって延在し、前記少なくとも１つの外側縁（２６）は、前記時計ケース（４）の方向に突出し、前記つば（１２）と共に前記支持体（２）を受け入れる筐体を形成するように構成することを特徴とする、請求項１から６のうちいずれか一項に記載の時計。
【請求項８】
切欠き部分（２８）は、前記つば（１２）と前記外側縁（２６）との間に設けることを特徴とする、請求項１から７のうちいずれか一項に記載の時計。
【請求項９】
前記支持体（２）は、バンド又はブレスレットであることを特徴とする、請求項１から８のうちいずれか一項に記載の時計。
【請求項１０】
前記取付けデバイス（１０）を解除するために前記つば（１２）に加えられる前記力（Ｆ）は、前記つば（１２）に実質的に直交する外向きの力で前記バンドを引っ張ることによって加えられることを特徴とする、請求項１から９のうちいずれか一項に記載の時計。
【発明の詳細な説明】
【技術分野】
【０００１】
本発明は、支持体上に取り外し可能に組み付けることが出来る時計に関し、この時計は、時計ケース、及び支持体に設けた開口内に時計ケースを保持するように構成した別個の取り外し可能取付けデバイスを備え、時計ケースは、文字板側上の上側部分、及び裏蓋を備える下側部分を備え、前記下側部分は、支持体の開口内部に収容するように構成し、平坦な周縁肩部を形成するように上側部分の寸法よりも小さい寸法である。
【背景技術】
【０００２】
そのような時計は、例えば仏国特許第１５５７１９７号に開示されている。時計ケースのバンド又はブレスレットへの取付けは、リングの使用により達成し、リングの内側面は、ケースの主要要素を形成する裏面キャロット（ｃａｌｏｔｔｅ）の円筒側面の直径に合致させる。リングを、裏面キャロット内に押し入れる。リングを押し入れることの欠点は、特にあまり力がないユーザにとって、バンド又はブレスレットを時計ケースから分離するためにユーザがリングを取り外すのが困難であることである。したがって、バンドの変更は困難である。更に、リングが適切に合致していない場合、リングは、ケースに固定されないままとなりバンドに保持されないという危険性がある。しかも、この組立体は、容易に別々に分離する可能性がある。
【０００３】
米国特許第４７４２５０３号及び欧州特許第０３７９５４０号は、バンドの容易な変更を可能にするガラス縁又はリングによる、バンドを時計ケースに取り外し可能に組み付けるデバイスを開示している。しかし、これらのデバイスでは、ガラス縁又はリングは、時計ケースの周りに見えるため、時計の外観が損なわれる。
【０００４】
仏国特許第０７５８７６７号は、バンドと統合したリングによる、バンドを時計ケースに取り外し可能に組み付けるデバイスを開示している。したがって、時計の外観を変更するためにユーザが所持するブレスレットのそれぞれは、組付けリングを装備しなければならず、組立体の費用を増大させる。更に、リングは、文字盤側上のケースの周りに組み付けられるため、リングは、時計文字盤の周りに見え、時計の外観が損なわれる。
【先行技術文献】
【特許文献】
【０００５】
【特許文献１】仏国特許第１５５７１９７号
【特許文献２】米国特許第４７４２５０３号
【特許文献３】欧州特許第０３７９５４０号
【特許文献４】欧州特許第０７５８７６７号
【発明の概要】
【発明が解決しようとする課題】
【０００６】
本発明の目的は、時計ケースにバンドを取り外し可能に取り付ける公知のデバイスの様々な欠点を克服することである。
【０００７】
より詳細には、時計を支持体上に取り付けるデバイスを提供することが本発明の目的であり、このデバイスは、器具又は力を一切用いずに、支持体又は時計のそれぞれを簡単、迅速に変更することを可能にする。
【０００８】
時計を支持体に取り付けるデバイスを提供することも、本発明の目的であり、このデバイスは、時計ケース上に支持体を十分に保持して、衝撃の際に時計ケースが脱落しないようにするが、依然として、支持体に何の損傷も与えずに支持体の簡単な取外しを可能にする。
【０００９】
時計の形状又は外観を変化させない、時計を支持体に取り付けるデバイスを提供することも、本発明の目的である。
【課題を解決するための手段】
【００１０】
この目的で、本発明は、支持体上に取り外し可能に組み付けることを意図する時計に関し、この時計は、時計ケース、及び支持体に設けた開口内に時計ケースを保持するように構成した別個の取り外し可能取付けデバイスを備え、時計ケースは、文字板側上の上側部分、及び裏蓋を備える下側部分を備え、前記下側部分は、支持体の開口内部に収容するように構成し、平坦な環状周縁肩部を形成するように上側部分の寸法よりも小さい寸法である。
【００１１】
本発明によれば、取付けデバイスは、つばを備え、つばは、下側部分を受け入れるように構成した中央開口１４、及び前記中央開口の境界を定める内側縁を有し、前記内側縁は、支持体の開口内部に収容するように構成し、内側縁の内側壁上に、取付けデバイスを時計ケースの下側部分上に係止する係止デバイスを有し、前記係止デバイスは、取付けデバイスを時計ケース上に係止可能にするように構成して、つばと時計ケースの平坦肩部との間に支持体を保持し、且つつばに実質的に直交する外向きの力をつば上に加えることによって、取付けデバイスを時計ケースから解除可能にするように構成して、支持体を解放する。
【００１２】
したがって、時計を支持体に取り付けるデバイスは、時計の文字盤側からは見えず、時計ケース上に支持体を十分に保持して、衝撃の際に時計ケースが脱落しないようにするが、依然として、支持体に何の損傷も与えずに支持体の簡単な取外しを可能にする。
【００１３】
好ましくは、係止デバイスは、内側縁の内側壁上に配置した少なくとも１つのリブを備えることができ、前記リブは、下側ケース部分の周縁の全て又は一部に対応して配置した少なくとも１つの溝と協働するように構成する。
【００１４】
有利には、係止デバイスは、内側縁の内側壁上に配置した少なくとも２つのリブを備えることができ、少なくとも２つのリブは、取付けデバイスの横軸に対して対称に配置し、リブなし領域によって隔てる。このことは、取付けデバイスの柔軟性を向上させ、取付けデバイスの組付け／分解を促進する。
【００１５】
好ましくは、内側縁は、内側縁の自由縁部に沿って少なくとも１つの切欠き部分を有することができる。
【００１６】
有利には、内側縁は、内側縁の自由縁部に沿って、取付けデバイスの長手方向軸に対して対称に配設した少なくとも２つの切欠き部分を有することができ、前記切欠き部分は、リブなし領域内に実質的に配置する。少なくとも１つのリブなし空間は、内側縁の内側壁上でリブと切欠き部分との間に設けることができる。このことは、更に取付けデバイスの柔軟性を向上させ、取付けデバイスの組付け／分解を促進する。
【００１７】
有利には、つばは、少なくとも１つの外側縁によって延在し、少なくとも１つの外側縁は、ケースに向かって突出し、つばと共に支持体を受け入れる筐体を形成するように構成する。取付けデバイスの柔軟性を更に向上させ、取付けデバイスの組付け／分解を促進するために、切欠き部分は、つばと外側縁との間に設けることができる。
【００１８】
好ましい実施形態によれば、支持体は、ブレスレット又はバンドとすることができる。そのような場合、取付けデバイスを解除するためにつばに加えられる力は、つばに実質的に直交する外向きの力でバンドを引っ張ることによって加えられ、取付けデバイスを時計ケースから容易に分離可能にする。
【００１９】
本発明の目的、利点及び特徴は、非限定的な例としてのみ示し添付の図面に示す本発明の一実施形態の以下の詳細な説明においてより明確になるであろう。
【図面の簡単な説明】
【００２０】
【図１】本発明による時計の斜視底面図である。
【図２】図１の時計の分解図である。
【図３】本発明で使用する取付けデバイスの斜視上面図である。
【図４】本発明で使用する取付けデバイスの斜視底面図である。
【図５】本発明の時計の長手方向断面図である。
【図６】本発明の時計の横断面図である。
【発明を実施するための形態】
【００２１】
図１及び図２を参照すると、ブレスレット又はバンド２上に取り外し可能に組み付けた時計１が示される。図２によりはっきりと示すように、バンド２は、２つの長手方向領域２ａ、２ｂ及び２つの横領域２ｃ、２ｄを画定する、楕円形の中央開口３を有する。バンドは、例えば皮革、シリコーン、布等、内部補強体を含むことができるあらゆる材料から製造できる。
【００２２】
時計は、時計ケース４を備え、時計ケース４は、文字板側上に位置する上側部分４ａ、及びケース４の裏蓋５を備える下側部分４ｂを備える。部分４ａは、例えば計時器ムーブメントを収容し、りゅうず６で終端する巻真を挿入するためにオリフィスが設けられる。電気式時計の場合、下側部分４ｂは、電池を受け入れる筐体７を有することができる。下側部分４ｂは、平坦な環状周縁肩部８を形成するように上側部分４ａの寸法よりも小さい寸法を有する。この肩部８の役割は以下で説明する。ケース４の上側部分４ａ及び下側部分４ｂの寸法は、下側部分４ｂのみがバンド２の開口３内部に収容されるようなものである。下側部分４ｂの厚さは、バンド２の厚さよりも厚い。
【００２３】
時計１は、時計ケース４をバンド２に取り外し可能に取り付けるように構成した、別個の取り外し可能取付けデバイス１０も備える。
【００２４】
本発明によれば、取付けデバイス１０は、中央開口１４及び内側縁１６を有するつば１２を備え、内側縁１６は、実質的につば１２に直交してケース４の方向に突出し、前記中央開口１４の境界を定める。図５及び図６に示すように、中央開口１４の寸法（「直径」）並びにつば１２及び内側縁１６の高さは、ケース４の下側部分４ａが前記中央開口１４の内部に収容されるように選択する。更に、つば１２及び内側縁１６の寸法（「直径」）は、一方で、内側縁１６をバンドの開口３内部に収容し、もう一方で、つば１２の内側面が十分な距離にわたってバンド２と接触するように選択し、つば１２と肩部８との間に形成した空間内で、つば１２の内側面と肩部８との間に前記バンド２を保持することを保証する。
【００２５】
更に、中央開口１４の方を向く内側縁１６の内側壁は、ケース４の下側部分４ｂ上に取付けデバイスを係止する係止デバイスを備える。図３及び図４をより詳細に参照すると、前記係止デバイスは、２つのリブ１８を備え、２つのリブ１８は、内側縁１６の内側壁上に配置し、取付けデバイスの横軸Ｙに対して互いに対称に配設する。２つのリブ１８は、多少の柔軟性を保証するために、内側縁１６の２つのリブなし領域１６ａ、１６ｂによって隔てる。リブ１８は、ケース４の下側部分４ｂの外縁上に対応して配置した溝２０と協働し、この溝２０内に係合するように構成する。２つの溝を設けても、下側部分４ｂの実質的な周縁全体にわたる１つの連続する溝を設けてもよい。
【００２６】
取付けデバイス１０の柔軟性を向上させるために、内側縁１６は、内側縁１６の自由縁部に沿って、実質的にはリブなし領域１６ａ、１６ｂに配置した２つの切欠き部分２２を有する。切欠き部分２２は、内側縁１６の高さを減らす。２つの切欠き部分は、取付けデバイス１０の長手方向軸Ｘに対して互いに対称に配置する。更に、リブなし空間２４は、内側縁１６の内側壁上の、リブ１８と切欠き部分２２との間に設ける。
【００２７】
内側縁１６及びリブ１８の寸法を最適化して、取付けデバイス１０のケースへ４の係止を保証する一方で、リブ１８を溝２０から容易に解放し、取付けデバイス１０のケース４からの分離を可能にする。これによって、ユーザがつば１２に実質的に直交する外向きの力をつば１２に加える際、Ｙ軸に沿ってつば１２を単に曲げることによって可能になる。
【００２８】
図示の変形形態では、つば１２は、２つの外側縁２６によって延在し、外側縁２６は、つば１２に実質的に直交するケース４の方向に突出し、取付けデバイス１０の長手方向軸Ｘに対して互いに対称に配設する。外側縁２６は、切欠き部分２２の実質的に反対側に位置し、つば１２の内側部分及びケース４と共に、バンド２の横領域２ｃ、２ｄを受け入れる閉鎖筐体を形成する。
【００２９】
取付けデバイス１０の柔軟性を向上させるために、４つの切欠き部分２８は、つば１２と２つの外側縁２６との間に設ける。
【００３０】
取付けデバイス１０は、プラスチック材料製であり、あらゆる適切なプラスチック材料を使用できる。
【００３１】
ユーザがバンド２を時計ケース４に組み付けることを希望する場合、ユーザは、ケース４の下側部分４ｂ及び取付けデバイス１０の開口１４と同じ高さでバンド２の開口３を位置決めする。ユーザは、リブ１８を溝２０内にスナップ嵌めすることによって取付けデバイス１０をケース４上に係止する。図５及び図６に示すように、バンド２の長手方向領域２ａ、２ｂは、ケース４の肩部８とつば１２との間に形成した空間内に保持され、ブレスレット２の横領域２ｃ、２ｄは、ケース４、つば１２及び外側縁２６によって形成した閉鎖筐体内に保持される。時計の装着時、取付けデバイス１０は、ケース４及びバンド２の長手方向領域の下側に配設されるため、取付けデバイス１０がユーザから見えず、時計の外観を変えない。ユーザがバンドの変更を希望する場合、ユーザは、バンド２に直交する、努力を要しない力Ｆ（図５を参照）をバンド２の長手方向領域２ａ、２ｂに加え、長手方向領域２ａ、２ｂをつば１２に押圧することによって取付けデバイス１０を軸Ｙ周りに曲げるようにする。取付けデバイス１０は、軸Ｙ周りに曲がり、リブ１８は、溝２０から離れて解放され、これにより取付けデバイス１０はケース４から解除される。次に、ユーザは、取付けデバイス１０をケース４から分離し、バンド２を取り外す。取付けデバイス１０は、自律式であり、バンド２とは別個に再利用できる。
【００３２】
本明細書では、支持体はバンド又はブレスレットであるが、支持体があらゆる他の適切な支持体であってもよいことは明らかである。
【符号の説明】
【００３３】
１  時計
２  支持体
３  開口
４  時計ケース
１０  取り外し可能取付けデバイス
１２  つば
１４  中央開口
１６  内側縁
１８  リブ
２０  溝
２２  切欠き部分
２４  リブなし空間
２６  外側縁
２８  切欠き部分
【図１】
2016206187.tif 000003
【図２】
2016206187.tif 000004
【図３】
2016206187.tif 000005
【図４】
2016206187.tif 000006
【図５】
2016206187.tif 000007
【図６】
2016206187.tif 000008